(57)【特許請求の範囲】
【請求項１】
モータの絶縁性ターミナルホルダのターミナル挿入穴にブラシターミナルを圧入して固定した小型直流モータにおいて、
前記ブラシターミナルの頭部並びに脚部の両側面には外側へ突出する下向き楔形の抜止め爪部が設けられ、且つ脚部の中央にも爪部が設けられるとともに、更にターミナル挿入穴を貫通して外側へ突出する前記抜け止め爪部と同じ面である前記ブラシターミナルの側面の脚部に爪部を形成し、前記爪部を外側横方向に折曲げてターミナルホルダへ固定したことを特徴とする小型直流モータ。
【発明の詳細な説明】
【０００１】
【発明の属する技術分野】
この発明は、小型直流モータに関するものであり、特に、ブラシターミナルの取付け強度を向上させた小型直流モータに関するものである。
【０００２】
【従来の技術及び発明が解決しようとする課題】
従来の技術を図８及び図９に従って説明する。図８において１は小型直流モータ、２は固定子であるマグネット、３はロータ、４はロータのコア、５は巻線、６はコンミテータであり、コンミテータ６の外周面にブラシ７が接触している。ブラシ７の基端部はブラシターミナル８に溶接されていて、ブラシターミナル８は樹脂製のターミナルホルダ９に嵌着されてリアカバー１０の穴から外側に突出している。
【０００３】
図９はブラシターミナル８とブラシターミナル９の嵌合状態を示し、Ｔ字形に成形されているブラシターミナル８の脚部８ａの両側面には外側へ突出する楔形の抜止め爪部８ｂが設けられている。
【０００４】
ブラシターミナル８の脚部８ａをターミナルホルダ９のターミナル挿入穴９ａに圧入して先端を貫通させると、抜止め爪部８ｂがターミナル挿入穴９ａの壁面に食い込んで固定される。しかし、ターミナル挿入穴９ａを貫通して外側へ突出する脚部８ａに電源電線をハンダ付けする際に、ブラシターミナル８に伝導される熱によりターミナルホルダ９のターミナル挿入穴９ａの壁面が軟化して、ブラシターミナル８の抜止め爪部８ｂとターミナルホルダ９との嵌合が緩み、ブラシターミナル８が動揺してコンミテータ６とブラシ７との接触が不良となる場合がある。
【０００５】
そこで、ブラシターミナル８の動揺を防止してモータの故障の虞れを軽減するために解決すべき技術的課題が生じてくるのであり、本発明は上記課題を解決することを目的とする。
【０００６】
【課題を解決するための手段】
この発明は、上記目的を達成するために提案するものであり、モータの絶縁性ターミナルホルダのターミナル挿入穴にブラシターミナルを圧入して固定した小型直流モータにおいて、
前記ブラシターミナルの頭部並びに脚部の両側面には外側へ突出する下向き楔形の抜止め爪部が設けられ、且つ脚部の中央にも爪部が設けられるとともに、更にターミナル挿入穴を貫通して外側へ突出する前記抜け止め爪部と同じ面である前記ブラシターミナルの側面の脚部に爪部を形成し、前記爪部を外側横方向に折曲げてターミナルホルダへ固定した小型直流モータを提供するものである。
【０００７】
【発明の実施の形態】
以下、この発明の実施の一形態を図に従って詳述する。図１はブラシターミナル１１を示し、ブラシターミナル１１は、鋼板を打抜いてメッキした端子部品であり、左右へ長い頭部１２の中央から下方へ延びる脚部１３の先端部位に電線を挿通するための円穴１４が打ち抜かれている。
【０００８】
頭部１２並びに脚部１３の両側面には外側へ突出する下向き楔形の抜止め爪部１５，１６が設けられていて、脚部１３の中央にも爪部１７が切り起こされている。脚部１３は下端から上方へ向かう中間で幅を一旦縮小したのちに拡大し、拡大部の両側から下方へ向けて延びる爪部１８が形成されている。
【０００９】
図２に示すように、ブラシターミナル１１の頭部１２には洋白製のブラシ１９の基部がスポット溶接され、ブラシ１９の三条に切断された先端部がブラシターミナル１１の頭部１２から水平に突出している。
【００１０】
図３はブラシターミナル１１の取付け工程を示し、同図（ａ）に示すように樹脂製のターミナルホルダ２０のターミナル挿入穴２０ａへブラシターミナル１１の脚部１３を圧入して先端を貫通させると、抜止め爪部１５，１６がターミナル挿入穴２０ａの壁面に食い込んで固定され、下側の爪部１８がターミナル挿入穴２０ａから下方へ突出する。そして、（ｂ）に示すように爪部１８を外側横方向へ折曲げてかしめると、ターミナルホルダ２０はブラシターミナル１１の頭部１２と爪部１８とによって上下から挟まれて、ブラシターミナル１１とターミナルホルダ２０が強固に結合される。
【００１１】
かしめ工程においては、図４に示すように、楔の先端中央に溝２１ａを形成した専用のダイ２１を使用すれば、二個の爪部１８を一工程で外側へかしめることができる。
【００１２】
爪部の折り曲げ方法は、上記の横方向のみに限定するものではなく、図５に示すように、二個の爪部１８を前または後ろに折曲げたり、図６に示すように一方の爪部１８を前側へ折曲げ、他方を後ろ側へ折曲げてもよい。また、図７に示すように、ブラシターミナル２２の脚部２３の中央に切り抜き加工により爪部２４を形成し、この爪部２４を折曲げてターミナルホルダへ固定してもよい。
【００１３】
尚、この発明は上記の実施形態に限定するものではなく、この発明の技術的範囲内において種々の改変が可能であり、この発明がそれらの改変されたものに及ぶことは当然である。
【００１４】
【発明の効果】
以上説明したように、本発明の小型直流モータは、絶縁性ターミナルホルダのターミナル挿入穴に圧入したブラシターミナルの頭部並びに脚部の両側面には外側へ突出する下向き楔形の抜止め爪部が設けられ、且つ脚部の中央にも爪部が設けられるとともに、更にターミナル挿入穴を貫通して外側へ突出する前記抜け止め爪部と同じ面である前記ブラシターミナルの側面の脚部に爪部を形成し、前記爪部を外側横方向に折曲げてターミナルホルダへ固定した構成を採用したものであるところ、上記ターミナルホルダは、ブラシターミナルの頭部と爪部とによって上下から挟まれるので、両々相俟って、ブラシターミナルとターミナルホルダが一層強固に結合される。
したがって、本発明は、ブラシターミナルに外力が加わったり、脚部に電源電線をハンダ付けする際の熱によりターミナルホルダのターミナル挿入穴部分が軟化したりしたとしてもブラシターミナルが動揺することがなく、コンミテータとブラシとの接触に異常を来す虞れを解消することができ、小型直流モータの信頼性の向上に寄与する発明である。
【図面の簡単な説明】
【図１】本発明の一実施形態を示し、（ａ）はブラシターミナルの正面図、（ｂ）は側面図である。
【図２】ブラシを取り付けたブラシターミナルを示し、（ａ）は平面図、（ｂ）は正面図、（ｃ）は側面図である。
【図３】（ａ）（ｂ）はブラシターミナルの取付け工程を示す解説図である。
【図４】専用かしめ治具を使用したブラシターミナルの取付け工程を示す解説図である。
【図５】他の実施形態を示し、ブラシターミナルの取付け状態を示す解説図である。
【図６】他の実施形態を示し、ブラシターミナルの取付け状態を示す解説図である。
【図７】他の実施形態を示し、ブラシターミナルの正面図である。
【図８】従来例を示し、小型直流モータの一部切欠側面図である。
【図９】従来のブラシターミナルの取付け状態を示す解説図である。
【符号の説明】
１１        ブラシターミナル
１２        頭部
１３        脚部
１８        爪部
２０        ターミナルホルダ
２０ａ      ターミナル挿入穴
２１        ダイ
【図１】
0004019509.tif 000002
【図２】
0004019509.tif 000003
【図３】
0004019509.tif 000004
【図４】
0004019509.tif 000005
【図５】
0004019509.tif 000006
【図６】
0004019509.tif 000007
【図７】
0004019509.tif 000008
【図８】
0004019509.tif 000009
【図９】
0004019509.tif 000010